(57)【要約】【課題】薄型表示装置の梱包に用いられる梱包装置の転倒を防止するために、転倒防止用の部材を梱包箱と組み合わせて使用すると、梱包装置の価格が上昇してしまう。【解決手段】本発明の梱包箱１００は、電子機器を収容するとともに、縦方向及び横方向の寸法に比べて奥行き方向の寸法が小さい直方体形状の梱包箱本体１０１と、梱包箱本体１０１の下部に位置するように梱包箱本体１０１を構成する梱包材に一体に形成されるとともに、梱包箱本体１０１の主面から当該梱包箱本体１０１の奥行き方向に突出する状態で梱包箱本体１０１に留め付けられる翼板部５３ａ，５３ｂとを有する。【選択図】図８
2010215276.tif 000002
【特許請求の範囲】
【請求項１】
電子機器を収容するとともに、縦方向及び横方向の寸法に比べて奥行き方向の寸法が小さい直方体形状の梱包箱本体と、
前記梱包箱本体の下部に位置するように前記梱包箱本体を構成する梱包材に一体に形成されるとともに、前記梱包箱本体の主面から当該梱包箱本体の奥行き方向に突出する状態で前記梱包箱本体に留め付けられる翼板部と
を有する梱包箱。
【請求項２】
前記翼板部は、前記梱包箱本体の主面から当該梱包箱本体の奥行き方向に突出する状態で取り付けられる第１の取り付け姿勢と、前記梱包箱本体の主面に沿う状態で取り付けられる第２の取り付け姿勢とを有する
請求項１記載の梱包箱。
【請求項３】
前記翼板部は、前記梱包箱本体の奥行き方向の一方に配置される第１の翼片部と、前記梱包箱本体の奥行き方向の他方に配置される第２の翼片部とを一体に有し、
前記第１の翼片部は、前記第１の取り付け姿勢では前記梱包箱本体の第１の主面から当該梱包箱本体の奥行き方向の一方に突出する状態で配置されるとともに、前記第２の取り付け姿勢では前記梱包箱本体の第１の主面に沿って配置され、
前記第２の翼片部は、前記第１の取り付け姿勢では前記梱包箱本体の第２の主面から当該梱包箱本体の奥行き方向の他方に突出する状態で配置され、前記第２の取り付け姿勢では前記梱包箱本体の第１の主面に沿って配置される
請求項２記載の梱包箱。
【請求項４】
前記翼板部は、前記第１の取り付け姿勢では前記梱包箱本体の主面から突出する部分が折れ曲がった状態に配置される
請求項２又は３記載の梱包箱。
【請求項５】
前記翼板部は、前記梱包箱本体の横方向の両側に設けられている
請求項１〜４のいずれか１項に記載の梱包箱。
【請求項６】
電子機器を収容するとともに、縦方向及び横方向の寸法に比べて奥行き方向の寸法が小さい直方体形状の梱包箱本体と、
前記梱包箱本体の下部に位置するように前記梱包箱本体を構成する梱包材に一体に形成されるとともに、前記梱包箱本体の主面から当該梱包箱本体の奥行き方向に突出する状態で前記梱包箱本体に留め付けられる翼板部と、
前記翼板部を前記梱包箱本体の外面に留め付ける留め具と
を備える梱包装置。
【請求項７】
前記翼板部は、前記梱包箱本体の主面から当該梱包箱本体の奥行き方向に突出する状態で取り付けられる第１の取り付け姿勢と、前記梱包箱本体の主面に沿う状態で取り付けられる第２の取り付け姿勢とを有する
請求項６記載の梱包装置。
【請求項８】
前記翼板部は、前記第１の取り付け姿勢で前記留め具が装着される第１の孔と、前記第２の取り付け姿勢で前記留め具が装着される第２の孔を有する
請求項７記載の梱包装置。
【発明の詳細な説明】
【技術分野】
【０００１】
本発明は、梱包箱及び梱包装置に係り、特に、薄型表示装置などの電子機器を梱包する場合に用いて好適な梱包箱及び梱包装置に関する。
【背景技術】
【０００２】
工場等で最終製品に組み立てられた電子機器は、当該電子機器の形状や寸法に適合する梱包箱を用いて梱包され、国内又は国外に向けて出荷される。近年、テレビジョン向けやコンピュータ向けの表示装置は、例えば、液晶表示装置やプラズマ表示装置、有機ＥＬ表示装置に代表されるように薄型化されている。このような薄型表示装置（平面型表示装置）には、縦方向及び横方向の寸法に比べて奥行き方向の寸法が小さい直方体形状の梱包箱が用いられている。
【０００３】
上記のような直方体形状の梱包箱を用いて薄型表示装置などの電子機器を梱包した場合は、梱包箱の奥行き寸法が小さいために設置状態が安定せず、転倒しやすくなる。また、転倒を防止するために梱包箱の奥行き寸法を大きくすると、その分だけ積み荷の面積が大きくなる。このため、運送費がかさんでしまう。そこで、薄型表示装置などの電子機器に用いる梱包装置として、転倒防止機能を有する梱包装置が提案されている（例えば、特許文献１〜３を参照）。
【先行技術文献】
【特許文献】
【０００４】
【特許文献１】特開２００１―２７０５８９号公報
【特許文献２】特開２００２−２１１６６９号公報
【特許文献３】特開２００３−９５３６８号公報
【発明の概要】
【発明が解決しようとする課題】
【０００５】
しかしながら、上記特許文献１〜３に記載された梱包装置では、いずれも転倒防止用の部材を、梱包箱とは別個に設けた構成になっている。このため、梱包装置の価格が上昇してしまう。
【０００６】
本発明の目的は、梱包装置の価格を上昇させることなく、梱包箱に転倒防止機能を付与することができる仕組みを提供することにある。
【課題を解決するための手段】
【０００７】
本発明に係る梱包箱は、電子機器を収容するとともに、縦方向及び横方向の寸法に比べて奥行き方向の寸法が小さい直方体形状の梱包箱本体と、前記梱包箱本体の下部に位置するように前記梱包箱本体を構成する梱包材に一体に形成されるとともに、前記梱包箱本体の主面から当該梱包箱本体の奥行き方向に突出する状態で前記梱包箱本体に留め付けられる翼板部とを有するものである。
【０００８】
本発明に係る梱包装置は、上記構成の梱包装置と、前記翼板部を前記梱包箱本体の外面に留め付ける留め具とを備えるものである。
【０００９】
本発明に係る梱包箱とこれを用いた梱包装置においては、梱包箱本体を構成する梱包材に一体に形成された翼板部を、梱包箱本体の主面から当該梱包箱本体の奥行き方向に突出させることで、当該翼板部の突出部分が梱包箱本体を支持する支持脚として機能する。
【発明の効果】
【００１０】
本発明によれば、梱包箱本体を構成する梱包材に一体に形成された翼板部を用いて、梱包箱の転倒を防止することができる。このため、梱包装置の価格を上昇させることなく、梱包箱に転倒防止機能を付与することが可能となる。
【図面の簡単な説明】
【００１１】
【図１】本発明の参考形態に係る梱包箱の分解斜視図である。
【図２】梱包材の構造を示す展開図である。
【図３】梱包材の構造を示す展開図である。
【図４】梱包材の構造を示す展開図である。
【図５】梱包箱の組み立て手順を説明する図である。
【図６】梱包箱の組み立て手順を説明する図である。
【図７】梱包箱の構造を示す展開図である。
【図８】第１の取り付け姿勢で梱包箱を組み立てた図である。
【図９】第２の取り付け姿勢で梱包箱を組み立てた図である。
【発明を実施するための形態】
【００１２】
以下、本発明の具体的な実施の形態について図面を参照しつつ詳細に説明する。なお、本発明の技術的範囲は以下に記述する実施の形態に限定されるものではなく、発明の構成要件やその組み合わせによって得られる特定の効果を導き出せる範囲において、種々の変更や改良を加えた形態も含む。
【００１３】
本発明の実施の形態については、以下の順序で説明する。
１．参考形態
２．実施の形態
３．適用例
【００１４】
＜１．参考形態＞
図１は本発明の参考形態に係る梱包箱の分解斜視図である。梱包箱１００は、３つの梱包材１，２，３を用いて組み立てられる構成になっている。梱包箱１００は、図示しない薄型表示装置などの電子機器を収容するものである。梱包箱１００の本体部分（以下、「梱包箱本体」）は、縦方向及び横方向の寸法に比べて奥行き方向の寸法が小さい直方体形状に形成される。図中のＸ方向は横方向を示し、Ｚ方向は縦方向を示し、Ｙ方向は奥行き方向を示している。
【００１５】
本書で記述する「縦方向」とは、梱包箱を水平面に設置した場合に「垂直方向（鉛直方向）」に沿う方向を意味し、梱包箱単体では梱包箱を正面方向（Ｙ方向）及び側面方向（Ｘ方向）から見たときの「上下方向（梱包箱の高さ方向）」に相当する。また、本書で記述する「横方向」とは、梱包箱を水平面に設置した場合に「水平方向」に沿う方向を意味し、梱包箱単体では梱包箱を正面方向から見たときの「左右方向（梱包箱の幅方向）」に相当する。また、本書で記述する「奥行き方向」とは、梱包箱を水平面に設置した場合に「水平方向」に沿う方向を意味し、梱包箱単体では梱包箱を側面方向（Ｘ方向）から見たときの「左右方向（梱包箱の厚み方向）」に相当する。
【００１６】
図２〜図４は梱包箱の組み立てに用いられる梱包材の展開図である。各々の梱包材１，２，３は、例えば、段ボール原紙を多層に積層して加工した板状の部材である。
【００１７】
（梱包材１の構造）
梱包材１は、図２に示すように、主板部１１と、一対の側板部１２ａ，１２ｂと、天板部１３と、一対の蓋板部１４ａ，１４ｂとを一体に有している。主板部１１は横長の長方形に形成されている。主板部１１には、２つの貫通孔１５ａ，１５ｂと、２つのスリット孔１６ａ，１６ｂと、１つの閉じ孔１７が形成されている。一対の側板部１２ａ，１２ｂは、主板部１１の左右両側に設けられている。各々の側板部１２ａ，１２ｂは縦長の長方形でかつ１つの角部を斜めに切り欠いた形状に形成されている。一方の側板部１２ａには１つの閉じ孔１８ａが形成され、他方の側板部１２ｂには１つの閉じ孔１８ｂが形成されている。天板部１３は横長の長方形に形成されている。天板部１３は、主板部１１の上側に設けられている。一対の蓋板部１４ａ，１４ｂは、それぞれに対応する側板部１２ａ，１２ｂの上側に設けられている。各々の蓋板部１４ａ，１４ｂは長方形に形成されている。
【００１８】
主板部１１と一方の側板部１２ａの境界には折り曲げ線Ｌ１１が設けられ、主板部１１と他方の側板部１２ｂの境界には折り曲げ線Ｌ１２が設けられている。また、主板部１１と天板部１３の境界には折り曲げ線Ｌ１３が設けられている。また、一方の側板部１２ａとこれに対応する一方の蓋板部１４ａの境界には折り曲げ線Ｌ１４が設けられ、他方の側板部１２ｂとこれに対応する他方の蓋板部１４ｂの境界には折り曲げ線Ｌ１５が設けられている。本書で記述する「折り曲げ線」とは、板状の梱包材を折り曲げやすいように予め加工した直線状の折り曲げ案内部分をいう。
【００１９】
（梱包材２の構造）
梱包材２は、図３に示すように、主板部２１と、一対の側板部２２ａ，２２ｂと、天板部２３と、一対の補助板部２４ａ，２４ｂとを一体に有している。主板部２１は横長の長方形に形成されている。主板部２１は、上記梱包材１の主板部１１とほぼ同じ寸法に設定されている。主板部２１には、２つの貫通孔２５ａ，２５ｂと、２つのスリット孔２６ａ，２６ｂと、１つの閉じ孔２７が形成されている。一対の側板部２２ａ，２２ｂは、主板部２１の左右両側に設けられている。各々の側板部２２ａ，２２ｂは縦長の長方形に形成されている。一方の側板部２２ａには１つの貫通孔２８ａが形成され、他方の側板部２２ｂには１つの貫通孔２８ｂが形成されている。天板部２３は横長の長方形に形成されている。天板部２３は、主板部２１の上側に設けられている。一対の補助板部２４ａ，２４ｂは、主板部１１の左右両側でかつ一対の側板部２２ａ，２２ｂの外側に設けられている。各々の補助板部２４ａ，２４ｂは縦長の形状に形成されている。一方の補助板部２４ａには１つの貫通孔２９が形成されている。
【００２０】
主板部２１と一方の側板部２２ａの境界には折り曲げ線Ｌ２１が設けられ、主板部２１と他方の側板部２２ｂの境界には折り曲げ線Ｌ２２が設けられている。また、主板部２１と天板部２３の境界には折り曲げ線Ｌ２３が設けられている。また、一方の側板部２２ａとこれに対応する一方の補助板部２４ａの境界には折り曲げ線Ｌ２４が設けられ、他方の側板部２２ｂとこれに対応する他方の補助板部２４ｂの境界には折り曲げ線Ｌ２５が設けられている。
【００２１】
（梱包材３の構造）
梱包材３は、図４に示すように、底板部３１と、一対の縁板部３２ａ，３２ｂと、一対の翼板部３３ａ，３３ｂとを一体に有している。底板部３１は横長の長方形に形成されている。底板部３１には、２つのガイド部３４ａ，３４ｂが形成されている。一対の縁板部３２ａ，３２ｂは横長の形状に形成されている。一方の縁板部３２ａには、２つの貫通孔３５ａ，３５ｂと、２つのスリット孔３６ａ，３６ｂと、２つのガイド部３７ａ，３７ｂが形成されている。他方の縁板部３２ｂには、２つの貫通孔３８ａ，３８ｂと、２つのスリット孔３９ａ，３９ｂと、２つのガイド部４０ａ，４０ｂが形成されている。
【００２２】
一対の翼板部３３ａ，３３ｂは、底板部３１の長手方向の両側に設けられている。各々の翼板部３３ａ，３３ｂは、底板部３１の短手方向に長い帯状に形成されている。一方の翼板部３３ａには、２つの貫通孔４１ａ，４１ｂと、２つの舌片部４２ａ，４２ｂが形成されている。２つの舌片部４２ａ，４２ｂは、翼板部３３ａの長手方向の両端部に形成され、それよりも少し内側（翼板部３３ａの長手方向の中心側）に貫通孔４１ａ，４１ｂが形成されている。他方の翼板部３３ｂには、２つの貫通孔４３ａ，４３ｂと、２つの舌片部４４ａ，４４ｂが形成されている。２つの舌片部４４ａ，４４ｂは、翼板部３３ｂの長手方向の両端部に形成され、それよりも少し内側に貫通孔４３ａ，４３ｂが形成されている。
【００２３】
底板部３１と一方の縁板部３２ａの境界には折り曲げ線Ｌ３１が設けられ、底板部３１と他方の縁板部３２ｂの境界には折り曲げ線Ｌ３２が設けられている。また、底板部３１と一方の翼板部３３ａの境界には折り曲げ線Ｌ３３が設けられ、底板部３１と他方の翼板部３３ｂの境界には折り曲げ線Ｌ３４が設けられている。
【００２４】
また、一方の翼板部３３ａには、当該翼板部３３ａを長手方向で３つの領域に区分する状態で２つの折り曲げ線Ｌ３５，Ｌ３６が設けられている。同様に、他方の翼板部３３ｂには、当該翼板部３３ｂを長手方向で３つの領域に区分する状態で２つの折り曲げ線Ｌ３７，Ｌ３８が設けられている。折り曲げ線Ｌ３５，Ｌ３６の間隔と、折り曲げ線Ｌ３７，Ｌ３８の間隔は、それぞれ折り曲げ線Ｌ３１，Ｌ３２の間隔よりも若干（例えば、２０ｍｍほど）広くなっている。
【００２５】
（梱包箱の組み立て）
上記３つの梱包材１，２，３を用いて梱包箱１００を組み立てる場合は、まず、上記図１に示すように、各々の梱包材１，２，３を折り曲げる。すなわち、梱包材１に関しては、折り曲げ線Ｌ１，Ｌ２を境にして一対の側板部１２ａ，１２ｂを同じ方向に折り曲げる。また、天板部１３は、折り曲げ線Ｌ１３を境にして外側に開いた状態に折り曲げる。また、一対の蓋板部１４ａ，１４ｂは、折り曲げ線Ｌ１４，Ｌ１５を境にして外側に開いた状態に折り曲げる。
【００２６】
梱包材２に関しては、折り曲げ線Ｌ２１，Ｌ２２を境にして一対の側板部２２ａ，２２ｂを同じ方向に折り曲げる。また、天板部２３は、折り曲げ線Ｌ２３を境にして外側に開いた状態に折り曲げる。また、一対の補助板部２４ａ，２４ｂに関しては、折り曲げ線Ｌ２４，Ｌ２５を境にして内向きに折り曲げる。
【００２７】
梱包材３に関しては、折り曲げ線Ｌ３１，Ｌ３２を境にして一対の縁板部３２ａ，３２ｂを同じ方向に折り曲げる。
【００２８】
このように各々の梱包材１，２，３を折り曲げた状態で、梱包材１の主板部１１の下部を梱包材３の縁板部３２ｂに外側から接触させるとともに、梱包材２の主板部２１の下部を梱包材３の縁板部３２ａに外側から接触させる。また、梱包材２の補助板部２４ａ，２４ｂを梱包材１の主板部１１に内側から接触させるとともに、梱包材１の側板部１２ａ，１２ｂを梱包材２の側板部２２ａ，２２ｂに外側から接触させる。
【００２９】
これにより、梱包材１の側板部１２ａと梱包材２の側板部２２ａが重ね合わせられるとともに、梱包材１の側板部１２ｂと梱包材２の側板部２２ｂが重ね合わせられる。また、梱包材１の閉じ孔１８ａと梱包材２の貫通孔２８ａが重ね合わせられるとともに、梱包材１の閉じ孔１８ｂと梱包材２の貫通孔２８ｂが重ね合わせられる。また、梱包材１の閉じ孔１７と梱包材２の貫通孔２９が重ね合わせられる。また、梱包材１の貫通孔１５ａが梱包材３の貫通孔３８ａに重ね合わせられるとともに、梱包材１の貫通孔１５ｂが梱包材３の貫通孔３８ｂに重ね合わせられる。また、梱包材２の貫通孔２５ａが梱包材３の貫通孔３５ａに重ね合わせられるとともに、梱包材１の貫通孔２５ｂが梱包材３の貫通孔３５ｂに重ね合わせられる。
【００３０】
次に、梱包材３に関して、図５に示すように、折り曲げ線Ｌ３３を境にして翼板部３３ａを折り曲げるとともに、折り曲げ線Ｌ３４を境にして翼板部３３ｂを折り曲げる。さらに、折り曲げ線Ｌ３５，Ｌ３６を境にして翼板部３３ａを折り曲げるとともに。折り曲げ線Ｌ３７，Ｌ３８を境にして翼板部３３ｂを折り曲げる。このとき、翼板部３３ａの舌片部４２ａを梱包材２のスリット孔２６ａに挿し込むとともに、翼板部３３ａの舌片部４２ｂを梱包材１のスリット孔１６ａに挿し込む。また、翼板部３３ｂの舌片部４４ａを梱包材２のスリット孔２６ｂに挿し込むとともに、翼板部３３ｂの舌片部４４ｂを梱包材１のスリット孔１６ｂに挿し込む。
【００３１】
これにより、一方の翼板部３３ａは、梱包材１の主板部１１の外面と、梱包材１の側板部１２ａの外面と、梱包材２の主板部２１の外面に、それぞれ沿うようにコ字形に折り曲げられた状態となる。また、翼板部３３ａの貫通孔４１ａは梱包材２の貫通孔２５ａに重ね合わせられ、翼板部３３ａの貫通孔４１ｂは梱包材１の貫通孔１５ａに重ね合わせられる。
【００３２】
他方の翼板部３３ｂは、梱包材１の主板部１１の外面と、梱包材１の側板部１２ｂの外面と、梱包材２の主板部２１の外面に、それぞれ沿うようにコ字形に折り曲げられた状態となる。また、翼板部３３ｂの貫通孔４３ａは梱包材２の貫通孔２５ｂに重ね合わせられ、翼板部３３ｂの貫通孔４３ｂは梱包材１の貫通孔１５ｂに重ね合わせられる。
【００３３】
このようにして梱包箱１００の梱包箱本体１０１を直方体形状に組み立てたら、梱包箱本体１０１の上部開口を通して電子機器（薄型表示装置）２００を図示しない緩衝材とともに梱包箱本体１０１内に収容する。その際、梱包箱本体１０１内では、予め上記６つのガイド部３４ａ，３４ｂ，３７ａ，３７ｂ，４０ａ，４０ｂをそれぞれ内側に突出するように直角に折り曲げた状態にすることで、緩衝材を支持するためのガイドとして利用する。
【００３４】
その後、図６に示すように、梱包箱本体１０１の上部開口を閉じて粘着テープ３００で封をする。梱包箱本体１０１の上部開口は、折り曲げ線Ｌ１４，Ｌ１５を境にして蓋板部１４ａ，１４ｂを内側に折り曲げた後、折り曲げ線Ｌ１３，Ｌ２３を境にして天板部１３，２３を折り曲げることにより閉じる。また、粘着テープ３００は、天板部１３，２３の合わせ目部分に沿って梱包箱本体１０１に貼り付ける。
【００３５】
また、粘着テープ３００を貼り付けた後（又は貼り付ける前）に、梱包材３の翼板部３３ａ，３３ｂに設けられた各々の貫通孔４１ａ，４１ｂ，４３ａ，４３ｂに１個ずつ留め具１０２を挿し込む。留め具１０２は、梱包箱１００に対して着脱可能に取り付けられるものである。留め具１０２は、梱包箱１００との組み合わせによって、梱包装置を構成するものである。各々の貫通孔４１ａ，４１ｂ，４３ａ，４３ｂのうち、例えば、貫通孔４３ｂの部分に差し込まれる留め具１０２は、当該貫通孔４３ｂを通して、これに重なり合う梱包材１の貫通孔１５ｂと梱包材３自身の貫通孔３８ｂにも同時に挿し込まれる。そして、この留め具１０２は、貫通孔４３ｂの部分で、梱包材３の翼板部３３ｂの一方側を梱包材１の主板部１１の外面に留め付けるとともに、梱包材１，３同士を結合する。この点は、他の貫通孔４１ａ，４１ｂ，４３ａに留め具１０２を挿し込む場合についても同様である。
【００３６】
留め具１０２は、各々の貫通孔４１ａ，４１ｂ，４３ａ，４３ｂの部分で、梱包材同士を結合できる構造であれば、どのような構造のものを用いてかまわない。例えば、留め具を貫通孔に差し込んだ状態で、留め具の奥側（先端側）の外径が拡開することにより、梱包材同士を結合する構造であってもよい。また、留め具を貫通孔に差し込んだ状態で、留め具自身を回転させることにより、梱包材同士を結合する構造であってもよい。
【００３７】
以上述べた参考形態に係る梱包装置においては、直方体形状をなす梱包箱１００の奥行き方向の寸法（奥行き寸法）が、当該梱包箱１００の縦方向の寸法（高さ寸法）や横方向の寸法（幅寸法）に比べて小さくなっている。このため、梱包箱１００の設定状態が不安定で転倒しやすいものとなる。したがって、水平に設置した梱包箱１００に対して奥行き方向に振動や衝撃等が加わると、梱包箱１００が転倒する恐れがある。特に薄型表示装置などの電子機器は今後も薄型化が進む傾向にあり、それに伴って梱包箱の奥行き寸法も小さくなるため、ますます転倒しやすい状況となる。
【００３８】
＜２．実施の形態＞
上記の状況に鑑みて、本発明の実施の形態においては、電子機器の梱包装置に用いられる梱包箱の構成として、次のような構成を採用することとした。すなわち、上記参考形態で説明した各々の梱包材１，２，３のうち、梱包材１，２については共通の構成を採用し、梱包材３については、これに変えて図７に示すような構成を採用する。なお、本発明の実施の形態においては、３つの梱包材を用いて１つの梱包箱を組み立てる場合を例に挙げて説明するが、本発明はこれに限らず、１つ、又は２つ、或いは４つ以上の梱包材を用いて１つの梱包箱を組み立てる構成であってもかまわない。
【００３９】
（梱包材５の構造）
梱包材５は、図７に示すように、底板部５１と、一対の縁板部５２ａ，５２ｂと、一対の翼板部５３ａ，５３ｂとを一体に有している。底板部５１は横長の長方形に形成されている。底板部５１には、２つのガイド部５４ａ，５４ｂが形成されている。一対の縁板部５２ａ，５２ｂは横長の形状に形成されている。一方の縁板部５２ａには、２つの貫通孔５５ａ，５５ｂと、２つのスリット孔５６ａ，５６ｂと、２つのガイド部５７ａ，５７ｂが形成されている。他方の縁板部５２ｂには、２つの貫通孔５８ａ，５８ｂと、２つのスリット孔５９ａ，５９ｂと、２つのガイド部６０ａ，６０ｂが形成されている。
【００４０】
一対の翼板部５３ａ，５３ｂは、底板部５１の長手方向の両側に設けられている。各々の翼板部５３ａ，５３ｂは、底板部５１の短手方向に長い帯状に形成されている。一方の翼板部５３ａには、４つの貫通孔６１ａ，６１ｂ，６２ａ，６２ｂと、４つの舌片部６３ａ，６３ｂ，６４ａ，６４ｂが形成されている。２つの舌片部６３ａ，６３ｂは、翼板部５３ａの長手方向の両端部に形成され、それよりも少し内側（翼板部５３ａの長手方向の中心側）に貫通孔６１ａ，６１ｂが形成されている。さらに、貫通孔６１ａ，６１ｂの少し内側に舌片部６４ａ，６４ｂが形成され、それよりも少し内側に貫通孔６２ａ，６２ｂが形成されている。
【００４１】
他方の翼板部５３ｂには、４つの貫通孔６５ａ，６５ｂ，６６ａ，６６ｂと、４つの舌片部６７ａ，６７ｂ，６８ａ，６８ｂが形成されている。２つの舌片部６７ａ，６７ｂは、翼板部５３ｂの長手方向の両端部に形成され、それよりも少し内側（翼板部５３ｂの長手方向の中心側）に貫通孔６５ａ，６５ｂが形成されている。さらに、貫通孔６５ａ，６５ｂの少し内側に舌片部６８ａ，６８ｂが形成され、それよりも少し内側に貫通孔６６ａ，６６ｂが形成されている。
【００４２】
底板部５１と一方の縁板部５２ａの境界には折り曲げ線Ｌ５１が設けられ、底板部５１と他方の縁板部５２ｂの境界には折り曲げ線Ｌ５２が設けられている。また、底板部５１と一方の翼板部５３ａの境界には折り曲げ線Ｌ５３が設けられ、底板部５１と他方の翼板部５３ｂの境界には折り曲げ線Ｌ５４が設けられている。
【００４３】
また、一方の翼板部５３ａには、当該翼板部５３ａを長手方向で７つの領域に区分する状態で６つの折り曲げ線Ｌ５５，Ｌ５６，Ｌ５７，Ｌ５８，Ｌ５９，Ｌ６０が設けられている。翼板部５３ａの長手方向においては、折り曲げ線Ｌ５５よりも外側の部分が第１の翼片部７１ａとなっており、折り曲げ線Ｌ５６よりも外側の部分が第２の翼片部７１ｂとなっている。第１の翼片部７１ａは、折り曲げ線Ｌ５７，Ｌ５９によって３つの領域に区分され、第２の翼片部７２ｂは、折り曲げ線Ｌ５８，Ｌ６０によって３つの領域に区分されている。折り曲げ線Ｌ５７は貫通孔６２ａを跨ぐ状態で形成され、折り曲げ線Ｌ５８は貫通孔６２ｂを跨ぐ状態で形成されている。
【００４４】
同様に、他方の翼板部５３ｂには、当該翼板部５３ｂを長手方向で７つの領域に区分する状態で６つの折り曲げ線Ｌ６１，Ｌ６２，Ｌ６３，Ｌ６４，Ｌ６５，Ｌ６６が設けられている。翼板部５３ｂの長手方向においては、折り曲げ線Ｌ６１よりも外側の部分が第１の翼片部７２ａとなっており、折り曲げ線Ｌ６２よりも外側の部分が第２の翼片部７２ｂとなっている。第１の翼片部７２ａは、折り曲げ線Ｌ６３，Ｌ６５によって３つの領域に区分され、第２の翼片部７２ｂは、折り曲げ線Ｌ６４，Ｌ６６によって３つの領域に区分されている。折り曲げ線Ｌ６３は貫通孔６６ａを跨ぐ状態で形成され、折り曲げ線Ｌ６４は貫通孔６６ｂを跨ぐ状態で形成されている。折り曲げ線Ｌ５５，Ｌ５６の間隔と、折り曲げ線Ｌ６１，Ｌ６２の間隔は、それぞれ折り曲げ線Ｌ５１，Ｌ５２の間隔よりも若干（例えば、２０ｍｍほど）広くなっている。
【００４５】
また、上記参考形態で例示した梱包材３の構造と比較すると、梱包材５における底板部５１と縁板部５２ａ，５２ｂの構造（形状、寸法）は、梱包材３における底板部３１と縁板部３２ａ，３２ｂの構造と基本的（軽微な違いを除いて）に共通の構造になっている。また、翼板部５３ａの貫通孔６２ａ，６２ｂは翼板部３３ａの貫通孔４１ａ，４１ｂと同じ位置に形成され、翼板部５３ａの舌片部６４ａ，６４ｂは翼板部３３ａの舌片部４２ａ，４２ｂと同じ位置に形成されている。また、翼板部５３ｂの貫通孔６６ａ，６６ｂは翼板部３３ｂの貫通孔４３ａ，４３ｂと同じ位置に形成され、翼板部５３ｂの舌片部６８ａ，６８ｂは翼板部３３ｂの舌片部４４ａ，４４ｂと同じ位置に形成されている。
【００４６】
ただし、一対の翼板部５３ａ，５３ｂの長手寸法は、一対の翼板部３３ａ，３３ｂの長手寸法よりも長く設定されている。すなわち、翼板部５３ａの長手方向の両端部は、それぞれに対応する縁板部５２ａ，５２ｂの外辺よりも外側（図７の上下方向）に突出した状態に形成され、その突出部分に貫通孔６１ａ，６１ｂと舌片部６３ａ，６３ｂが形成されている。同様に、翼板部５３ｂの長手方向の両端部は、それぞれに対応する縁板部５２ａ，５２ｂの外辺よりも外側に突出した状態に形成され、その突出部分に貫通孔６５ａ，６５ｂと舌片部６７ａ，６７ｂが形成されている。
【００４７】
（梱包箱の組み立て）
３つの梱包材１，２，５を用いて梱包箱１００を組み立てる場合は、梱包材１，２をそれぞれ上記参考形態と同様に折り曲げるとともに、梱包材５を次のように折り曲げる。すなわち、梱包材５に関しては、折り曲げ線Ｌ５１，Ｌ５２を境にして一対の縁板部５２ａ，５２ｂを同じ方向に折り曲げる。
【００４８】
このように各々の梱包材１，２，５を折り曲げた状態で、梱包材１の主板部１１の下部を梱包材５の縁板部５２ｂに外側から接触させるとともに、梱包材２の主板部２１の下部を梱包材５の縁板部５２ａに外側から接触させる。また、梱包材２の補助板部２４ａ，２４ｂを梱包材１の主板部１１に内側から接触させるとともに、梱包材１の側板部１２ａ，１２ｂを梱包材２の側板部２２ａ，２２ｂに外側から接触させる。
【００４９】
これにより、梱包材１の側板部１２ａと梱包材２の側板部２２ａが重ね合わせられるとともに、梱包材１の側板部１２ｂと梱包材２の側板部２２ｂが重ね合わせられる。また、梱包材１の閉じ孔１８ａと梱包材２の貫通孔２８ａが重ね合わせられるとともに、梱包材１の閉じ孔１８ｂと梱包材２の貫通孔２８ｂが重ね合わせられる。また、梱包材１の閉じ孔１７と梱包材２の貫通孔２９が重ね合わせられる。また、梱包材１の貫通孔１５ａが梱包材５の貫通孔５８ａに重ね合わせられるとともに、梱包材１の貫通孔１５ｂが梱包材５の貫通孔５８ｂに重ね合わせられる。また、梱包材２の貫通孔２５ａが梱包材５の貫通孔５５ａに重ね合わせられるとともに、梱包材１の貫通孔２５ｂが梱包材５の貫通孔５５ｂに重ね合わせられる。
【００５０】
次に、梱包材５に関して、折り曲げ線Ｌ５３を境にして翼板部５３ａを折り曲げるとともに、折り曲げ線Ｌ５４を境にして翼板部５３ｂを折り曲げる。また、翼板部５３ａについては、折り曲げ線Ｌ５７，Ｌ５９を境にして第１の翼片部７１ａをＶ字形に折り曲げるとともに、折り曲げ線Ｌ５８，Ｌ６０を境にして第２の翼片部７１ｂをＶ字形に折り曲げる。これにより、第１の翼片部７１ａの先端側を梱包材２の主板部２１の外面に沿わせるとともに、第２の翼片部７１ｂの先端側を梱包材１の主板部１１の外面に沿わせる。さらに、第１の翼片部７１ａ先端の舌片部６３ａを梱包材２のスリット孔２６ａに挿し込むとともに、第２の翼片部７１ｂ先端の舌片部６３ｂを梱包材１のスリット孔１６ａに挿し込む。これにより、第１の翼片部７１ａの貫通孔６１ａは梱包材２の貫通孔２５ａに重ね合わせられ、第２の翼片部７１ｂの貫通孔６１ｂは梱包材１の貫通孔１５ａに重ね合わせられる。
【００５１】
一方、翼板部５３ｂについては、折り曲げ線Ｌ６３，Ｌ６５を境にして第１の翼片部７２ａをＶ字形に折り曲げるとともに、折り曲げ線Ｌ６４，Ｌ６６を境にして第２の翼片部７２ｂをＶ字形に折り曲げる。これにより、第１の翼片部７２ａの先端側を梱包材２の主板部２１の外面に沿わせるとともに、第２の翼片部７２ｂの先端側を梱包材１の主板部１１の外面に沿わせる。さらに、第１の翼片部７２ａ先端の舌片部６７ａを梱包材２のスリット孔２６ａに挿し込むとともに、第２の翼片部７２ｂ先端の舌片部６７ｂを梱包材１のスリット孔１６ａに挿し込む。これにより、第１の翼片部７２ａの貫通孔６５ａは梱包材２の貫通孔２５ｂに重ね合わせられ、第２の翼片部７２ｂの貫通孔６５ｂは梱包材１の貫通孔１５ｂに重ね合わせられる。
【００５２】
このようにして梱包箱１００の梱包箱本体１０１を直方体形状に組み立てたら、上記参考形態と同様に、梱包箱本体１０１の上部開口を通して電子機器（薄型表示装置）を緩衝材とともに梱包箱本体１０１内に収容する。また、梱包箱本体１０１の上部開口を閉じて粘着テープで封をする。ちなみに、３つの梱包材１，２，５を用いて直方体形状に形成される梱包箱本体１０１の６つの外面のうち、梱包材１の主板部１１によって形成される面と、梱包材２の主板部２１によって形成される面は、いずれも梱包箱本体１０１の主面となる。梱包箱本体１０１の主面とは、直方体形状を形作る６つの面のうち、最も面積が大きい面をいう。
【００５３】
次に、粘着テープを貼り付けた後（又は貼り付ける前）に、図８に示すように、梱包材５の翼板部５３ａ，５３ｂに設けられた各々の貫通孔６１ａ，６１ｂ，６５ａ，６５ｂに１個ずつ留め具１０２を挿し込む。これにより、翼板部５３ａの第１の翼片部７１ａは、貫通孔６１ａに装着される留め具１０２によって、梱包材２の主板部２１の外面に留め付けられる。また、翼板部５３ａの第２の翼片部７１ｂは、貫通孔６１ｂに装着される留め具１０２によって、梱包材１の主板部１１の外面に留め付けられる。同様に、翼板部５３ｂの第１の翼片部７２ａは、貫通孔６５ａに装着される留め具１０２によって、梱包材２の主板部２１の外面に留め付けられる。また、翼板部５３ａの第２の翼片部７２ｂは、貫通孔６５ｂに装着される留め具１０２によって、梱包材１の主板部１１の外面に留め付けられる。
【００５４】
このように梱包箱１００を組み立てた場合は、一対の翼板部５３ａ，５３ｂが第１の取り付け姿勢で取り付けられることになる。すなわち、一方の翼板部５３ａに関しては、第１の翼片部７１ａが、梱包箱本体１０１の奥行き方向の一方に配置されるとともに、第２の翼片部７１ｂが、梱包箱本体１０１の奥行き方向の他方に配置される。また、第１の翼片部７１ａが梱包材２の主板部２１の外面から奥行き方向の一方に突出した状態に配置されるとともに、第２の翼片部７１ｂが梱包材１の主板部１１の外面から奥行き方向の他方に突出した状態に配置される。また、第１の翼片部７１ａはＶ字形に折り曲げられた状態で梱包箱本体１０１の奥行き方向に突出し、第２の翼片部７１ｂもＶ字形に折り曲げられた状態で梱包箱本体１０１の奥行き方向に突出した状態となる。また、他方の翼板部５３ｂに関しては、第１の翼片部７２ａが、梱包箱本体１０１の奥行き方向の一方に配置されるとともに、第２の翼片部７２ｂが、梱包箱本体１０１の奥行き方向の他方に配置される。また、第１の翼片部７２ａが梱包材２の主板部２１の外面から奥行き方向の一方に突出した状態に配置されるとともに、第２の翼片部７２ｂが梱包材１の主板部１１の外面から奥行き方向の他方に突出した状態に配置される。また、第１の翼片部７２ａはＶ字形に折り曲げられた状態で梱包箱本体１０１の奥行き方向に突出し、第２の翼片部７２ｂもＶ字形に折り曲げられた状態で梱包箱本体１０１の奥行き方向に突出した状態となる。また、底板部５１が設置される設置面に対して、各々の翼板部５３ａ，５３ｂの最下部が近接した状態で配置される。
【００５５】
一対の翼板部５３ａ，５３ｂを第１の取り付け姿勢で取り付けた場合は、梱包箱本体１０１の奥行き方向に突出する第１の翼片部７１ａ，７２ａと第２の翼片部７１ｂ，７２ｂが、それぞれ梱包箱本体１０１を支持する支持脚を構成するものとなる。この支持脚は梱包箱１００の転倒を防止する機能を果たす。このため、転倒防止用の別部材を梱包箱１００と組み合わせなくても、梱包箱１００の転倒を防止することができる。その結果、梱包装置の価格を上昇させることなく、梱包箱１００に転倒防止機能を付与することができる。また、第１の翼片部７１ａ，７２ａと第２の翼片部７１ｂ，７２ｂは、それぞれＶ字形に折れ曲がった状態で奥行き方向に突出しているため、支持脚として機能する突出部分の機械的な強度を高めることができる。このため、重量の重い電子機器に対する転倒防止機能を強化することができる。また、梱包箱本体１０１の幅方向の両側に翼板部５３ａ，５３ｂを設けているため、片側のみに翼板部を設ける場合に比べて、転倒防止効果を高めることができる。
【００５６】
また、梱包箱１００を組み立てる場合は、一対の翼板部５３ａ，５３ｂを、上記第１の取り付け姿勢と異なる第２の取り付け姿勢で取り付けることも可能である。一対の翼板部５３ａ，５３ｂを第２の取り付け姿勢で取り付ける場合は、梱包材５に関して、上記同様に折り曲げ線Ｌ５３を境にして翼板部５３ａを折り曲げるとともに、折り曲げ線Ｌ５４を境にして翼板部５３ｂを折り曲げる。
【００５７】
次に、翼板部５３ａについては、貫通孔６１ａ，６２ａ同士が重なるように第１の翼片部７１ａを折り畳むとともに、貫通孔６１ｂ，６２ｂ同士が重なるように第２の翼片部７１ｂを折り畳む。また、折り曲げ線Ｌ５５を境にして第１の翼片部７１ａを折り曲げるとともに、折り曲げ線Ｌ５６を境にして第２の翼片部７１ｂを折り曲げる。これにより、図９に示すように、第１の翼片部７１ａを梱包材２の主板部２１の外面に沿わせるとともに、第２の翼片部７１ｂを梱包材１の主板部１１の外面に沿わせる。さらに、第１の翼片部７１ａの舌片部６４ａを梱包材２のスリット孔２６ａに挿し込むとともに、第２の翼片部７１ｂの舌片部６４ｂを梱包材１のスリット孔１６ａに挿し込む。これにより、第１の翼片部７１ａの貫通孔６１ａ，６４ａは梱包材２の貫通孔２５ａに重ね合わせられ、第２の翼片部７１ｂの貫通孔６１ｂ，６４ｂは梱包材１の貫通孔１５ａに重ね合わせられる。
【００５８】
一方、翼板部５３ｂについては、貫通孔６５ａ，６６ａ同士が重なるように第１の翼片部７２ａを折り畳むとともに、貫通孔６５ｂ，６６ｂ同士が重なるように第２の翼片部７２ｂを折り畳む。また、折り曲げ線Ｌ６１を境にして第１の翼片部７２ａを折り曲げるとともに、折り曲げ線Ｌ６２を境にして第２の翼片部７２ｂを折り曲げる。これにより、第１の翼片部７２ａを梱包材２の主板部２１の外面に沿わせるとともに、第２の翼片部７２ｂを梱包材１の主板部１１の外面に沿わせる。さらに、第１の翼片部７２ａの舌片部６８ａを梱包材２のスリット孔２６ａに挿し込むとともに、第２の翼片部７２ｂの舌片部６８ｂを梱包材１のスリット孔１６ａに挿し込む。これにより、第１の翼片部７２ａの貫通孔６５ａ，６６ａは梱包材２の貫通孔２５ｂに重ね合わせられ、第２の翼片部７２ｂの貫通孔６５ｂ，６６ｂは梱包材１の貫通孔１５ｂに重ね合わせられる。以降は、上記同様の手順で、粘着テープの貼り付けや留め具１０２の差し込みを行なって梱包箱１００を組み立てる。
【００５９】
このように梱包箱１００を組み立てた場合は、一対の翼板部５３ａ，５３ｂが第２の取り付け姿勢で取り付けられることになる。すなわち、一方の翼板部５３ａに関しては、第１の翼片部７１ａが、梱包箱本体１０１の奥行き方向の一方に配置されるとともに、第２の翼片部７１ｂが、梱包箱本体１０１の奥行き方向の他方に配置される。また、第１の翼片部７１ａが梱包材２の主板部２１の外面に沿う状態に配置されるとともに、第２の翼片部７１ｂが梱包材１の主板部１１の外面に沿う状態に配置される。また、他方の翼板部５３ｂに関しては、第１の翼片部７２ａが、梱包箱本体１０１の奥行き方向の一方に配置されるとともに、第２の翼片部７２ｂが、梱包箱本体１０１の奥行き方向の他方に配置される。また、第１の翼片部７２ａが梱包材２の主板部２１の外面に沿う状態に配置されるとともに、第２の翼片部７２ｂが梱包材１の主板部１１の外面に沿う状態に配置される。
【００６０】
一対の翼板部５３ａ，５３ｂを第２の取り付け姿勢で取り付けた場合は、第１の翼片部７１ａ，７２ａと第２の翼片部７１ｂ，７２ｂが、それぞれ梱包箱本体１０１の奥行き方向に突出することなく梱包箱本体１０１の外面に沿って配置される。このため、一対の翼板部５３ａ，５３ｂを第１の取り付け姿勢で取り付ける場合に比べて、梱包箱１００の最大幅寸法が小さくなる。
【００６１】
また、一対の翼板部５３ａ，５３ｂを第１の取り付け姿勢で取り付ける場合は、貫通孔６１ａ，６１ｂ，６５ａ，６５ｂにそれぞれ留め具１０２を差し込んで装着する。また、一対の翼板部５３ａ，５３ｂを第２の取り付け姿勢で取り付ける場合は、それらの貫通孔６１ａ，６１ｂ，６５ａ，６５ｂに重なり合う貫通孔６２ａ，６２ｂ，６６ａ，６６ｂにそれぞれ留め具１０２を差し込んで装着する。このことから、第１の翼片部７１ａは、第１の取り付け姿勢で留め具１０２が装着される貫通孔６１ａと、第２の取り付け姿勢で留め具１０２が装着される貫通孔６２ａを有するものとなる。また、第２の翼片部７１ｂは、第１の取り付け姿勢で留め具１０２が装着される貫通孔６１ｂと、第２の取り付け姿勢で留め具１０２が装着される貫通孔６２ｂを有するものとなる。また、第１の翼片部７２ａは、第１の取り付け姿勢で留め具１０２が装着される貫通孔６５ａと、第２の取り付け姿勢で留め具１０２が装着される貫通孔６６ａを有するものとなる。また、第２の翼片部７２ｂは、第１の取り付け姿勢で留め具１０２が装着される貫通孔６５ｂと、第２の取り付け姿勢で留め具１０２が装着される貫通孔６６ｂを有するものとなる。このため、各々の翼片部７１ａ，６８ｂ，６９ａ，６９ｂにおいては、留め具１０２を装着する孔を変えるだけで、その取り付け姿勢を簡単に変えることができる。
【００６２】
このように、一対の翼板部５３ａ，５３ｂは、第１の取り付け姿勢で取り付けることも、第２の取り付け姿勢で取り付けることもできる。また、留め具１０２は、前述したように梱包箱本体１０１に対して着脱可能となっている。このため、一対の翼板部５３ａ，５３ｂを第１の取り付け姿勢で取り付けた後に第２の取り付け姿勢で取り付け直したり、一対の翼板部５３ａ，５３ｂを第２の取り付け姿勢で取り付けた後に第１の取り付け姿勢で取り付け直したりすることもできる。
【００６３】
また、翼板部５３ａの２つの翼片部７１ａ，７１ｂに関しては、次の３つの形態を択一的に採用することができる。１つは、翼片部７１ａ，７１ｂの両方を第１の取り付け姿勢で取り付ける形態である。もう１つは、翼片部７１ａ，７１ｂの両方を第２の取り付け姿勢で取り付ける形態である。他の１つは、翼片部７１ａ，７１ｂのうちの片方を第１の取り付け姿勢で取り付け、もう片方を第２の取り付け姿勢で取り付ける形態である。この点は、翼板部５３ｂの２つの翼片部７２ａ，７２ｂに関しても同様である。
【００６４】
また、一対の翼板部５３ａ，５３ｂに関しては、第１の翼片部７１ａ，７２ａを第１の取り付け姿勢とし、かつ、第２の翼片部７１ｂ，７２ｂを第２の取り付け姿勢とすることができる。またこれと逆に、第１の翼片部７１ａ，７２ａを第２の取り付け姿勢とし、かつ、第２の翼片部７１ｂ，７２ｂを第１の取り付け姿勢とすることができる。これ以外にも、梱包箱１００を平面的に見て、対角線上の２つの翼片部（例えば、７１ａ，７２ｂ）を第１の取り付け姿勢とし、他の２つの翼片部（例えば、７１ｂ，７２ａ）を第２の取り付け姿勢とすることができる。さらに、４つの翼片部７１ａ，７１ｂ，７２ａ，７２ｂの中から選択された１つ又は３つの翼片部を第１の取り付け姿勢とし、他の翼板部を第２の取り付け姿勢とするもできる。また、本発明を実施するにあたっては、必ずしも４つの翼片部７１ａ，７１ｂ，７２ａ，７２ｂをすべて設ける必要はなく、少なくとも１つの翼片部を設けた構成とすればよい。
【００６５】
また、具体的な梱包箱１００の使用に際して、例えば、複数（少なくとも３つ）の梱包箱１００を、主面同士を突き合わせて密に並べて設置する場合に、次のような形態を採用することが可能である。すなわち、梱包箱１００の並び方向の最端部に配置される梱包箱１００については、梱包箱本体１０１の奥行き方向の一方に配置される翼板部（例えば、７１ａ，７２ａ）だけを第１の取り付け姿勢とする。また、最端部よりも内側に配置される梱包箱１００については、すべての翼板部を第２の取り付け姿勢とする。これにより、最端部の梱包箱１００に付与される転倒防止機能を利用して、複数の梱包箱１００の転倒をまとめて防止することができる。また、複数の梱包箱１００を最小限のスペースで並べることができる。
【００６６】
＜３．適用例＞
本発明に係る梱包箱とこれを用いた梱包装置は、縦方向及び横方向の寸法に比べて奥行き方向の寸法が小さい直方体形状の梱包箱本体に収容される電子機器であれば、薄型表示装置以外の電子機器を収容する場合に適用してもかまわない。
【符号の説明】
【００６７】
１，２，５…梱包材、５３ａ，５３ｂ…翼板部、７１ａ，７２ａ…第１の翼片部、７１ｂ，７２ｂ…第２の翼片部、１００…梱包箱、１０１…梱包箱本体、１０２…留め具、２００…電子機器
【図１】
2010215276.tif 000003
【図２】
2010215276.tif 000004
【図３】
2010215276.tif 000005
【図４】
2010215276.tif 000006
【図５】
2010215276.tif 000007
【図６】
2010215276.tif 000008
【図７】
2010215276.tif 000009
【図８】
2010215276.tif 000010
【図９】
2010215276.tif 000011